(57)【要約】【課題】早送りや早戻しにおける動画の高速再生において再生画像の視認性を向上できる再生装置を提供する。【解決手段】デジタルカメラでは、メモリカードなどに記録された動画の再生を行う場合、最初の５秒までは４倍速、５秒後に１０倍速、１０秒後に１００倍速の３段階で早送り・早送り(巻き戻し)が可能である。ここで、早送り開始後に１０秒経過して１００倍速の早送りに切替わった直後の最初の１秒間ｔ１は、再生フレームＮｏが１刻みで増加して通常の再生速度で再生される。そして、最初の１秒間ｔ１が経過する際には、再生フレームＮｏが１００秒分の動画フレーム数に相当する３０００が加算されて通常の再生速度で再生する次の１秒ｔ２が始まる。これにより、１００倍速の早送り再生時でも、通常の再生速度で動画表示を行えるため、再生画像の視認性を向上できる。【選択図】図６
2005175742.tif 000002
【特許請求の範囲】
【請求項１】
所定の表示手段に動画を表示可能な再生装置であって、
(a)動画の画像データを記録する記録手段と、
(b)前記記録手段に記録された前記動画の画像データを読み出して、前記所定の表示手段に表示させる再生処理手段と、
(c)前記動画の早送りまたは早戻しの指示を行う指示手段と、
を備え、
前記再生処理手段は、
(b-1)前記動画の早送りまたは早戻しの指示が行われた場合には、前記動画から動画の一部を順次に抽出し、前記動画の一部に基づく再生を第１時間で行う再生制御手段、
を有するとともに、
前記動画の一部は、前記動画の再生で基準となる時間軸において第２時間の長さを有しており、前記時間軸において第３時間の間隔ごとに抽出されることを特徴とする再生装置。
【請求項２】
請求項１に記載の再生装置において、
前記記録手段は、前記再生装置に着脱可能な半導体メモリ、光ディスクまたは磁気ディスクとして構成されていることを特徴とする再生装置。
【請求項３】
請求項１または請求項２に記載の再生装置において、
(d)前記動画を構成する複数のフレーム画像それぞれを圧縮して前記記録手段に記録させる記録制御手段、
を備えることを特徴とするを再生装置。
【請求項４】
請求項１ないし請求項３のいずれかに記載の再生装置において、
前記指示手段は、
(c-1)前記動画の早送りまたは早戻しについて複数の速度から１の速度を指定する指定手段、
を有するとともに、
前記再生処理手段は、
(b-2)前記１の速度が前記複数の速度のうちの高速側の速度である場合のみ、前記再生制御手段を能動化させる手段、
を有することを特徴とする再生装置。
【請求項５】
請求項１ないし請求項４のいずれかに記載の再生装置において、
(e)所定の操作入力を受け付ける操作部、
をさらに備え、
前記再生制御手段は、
前記所定の操作入力に応答して前記第１時間と前記第２時間と前記第３時間とを設定する設定手段、
を有することを特徴とする再生装置。
【請求項６】
請求項１ないし請求項５のいずれかに記載の再生装置において、
(f)被写体を撮像して、前記動画の画像データを生成する撮像手段、
をさらに備えることを特徴とする再生装置。
【発明の詳細な説明】
【技術分野】
【０００１】
本発明は、所定の表示手段に動画を表示可能な再生装置に関する。
【背景技術】
【０００２】
デジタルカメラにおいては、撮影された動画の記録・再生が可能なものが増えている。そして、動画の記録技術については、メモリカードの容量一杯まで行うロング記録が可能なものも増えている。
【０００３】
一方、動画の再生技術については、例えば特許文献１〜３に開示されるように、動画に関する再生の改善を図るものがある。
【０００４】
【特許文献１】特開平１１−１５５１２９号公報
【特許文献２】特開２００２−７７８１０号公報
【特許文献３】特開２００２−３３５４９４号公報
【発明の開示】
【発明が解決しようとする課題】
【０００５】
上記のデジタルカメラでは、動画の記録時間が延びる傾向にあるため、早送り・早戻し(巻き戻し)のスピードが要求されるようになっているが、早送り・早戻しでの動画再生速度が速くなると、再生画像の視認性が悪化するという問題がある。この問題について図９を参照しつつ簡単に説明する。
【０００６】
図９は、従来技術に係る早送り動作を説明するための図である。本図において横軸は時間を示しており、動画を構成するフレーム画像に付される再生フレーム番号(Ｎｏ)を「１００、２００、・・・、４０００」で表している。
【０００７】
１００倍速の早送り再生を行う場合には、１００ずつ加算された再生フレームＮｏが抽出され動画再生が行われる。すなわち、一般的に高速で動画再生を行う場合には、動画フレームが均等に間引かれてフレーム画像が断続的に再生されるため、ユーザは再生画像の内容を識別するのが難しくなる。
【０００８】
本発明は、上記課題に鑑みてなされたものであり、早送りや早戻しにおける動画の高速再生において再生画像の視認性を向上できる再生装置を提供することを目的とする。
【課題を解決するための手段】
【０００９】
上記の課題を解決するため、請求項１の発明は、所定の表示手段に動画を表示可能な再生装置であって、(a)動画の画像データを記録する記録手段と、(b)前記記録手段に記録された前記動画の画像データを読み出して、前記所定の表示手段に表示させる再生処理手段と、(c)前記動画の早送りまたは早戻しの指示を行う指示手段とを備え、前記再生処理手段は、(b-1)前記動画の早送りまたは早戻しの指示が行われた場合には、前記動画から動画の一部を順次に抽出し、前記動画の一部に基づく再生を第１時間で行う再生制御手段を有するとともに、前記動画の一部は、前記動画の再生で基準となる時間軸において第２時間の長さを有しており、前記時間軸において第３時間の間隔ごとに抽出される。
【００１０】
また、請求項２の発明は、請求項１の発明に係る再生装置において、前記記録手段は、前記再生装置に着脱可能な半導体メモリ、光ディスクまたは磁気ディスクとして構成されている。
【００１１】
また、請求項３の発明は、請求項１または請求項２の発明に係る再生装置において、(d)前記動画を構成する複数のフレーム画像それぞれを圧縮して前記記録手段に記録させる記録制御手段を備える。
【００１２】
また、請求項４の発明は、請求項１ないし請求項３のいずれかの発明に係る再生装置において、前記指示手段は、(c-1)前記動画の早送りまたは早戻しについて複数の速度から１の速度を指定する指定手段を有するとともに、前記再生処理手段は、(b-2)前記１の速度が前記複数の速度のうちの高速側の速度である場合のみ、前記再生制御手段を能動化させる手段を有する。
【００１３】
また、請求項５の発明は、請求項１ないし請求項４のいずれかの発明に係る再生装置において、(e)所定の操作入力を受け付ける操作部をさらに備え、前記再生制御手段は、前記所定の操作入力に応答して前記第１時間と前記第２時間と前記第３時間とを設定する設定手段を有する。
【００１４】
また、請求項６の発明は、請求項１ないし請求項５のいずれかの発明に係る再生装置において、(f)被写体を撮像して、前記動画の画像データを生成する撮像手段をさらに備える。
【発明の効果】
【００１５】
請求項１ないし請求項６の発明によれば、動画の早送りまたは早戻しの指示が行われた場合には、動画の再生で基準となる時間軸において第２時間の長さを有する動画の一部を第３時間の間隔ごとに順次に抽出し、動画の一部に基づく再生を第１時間で行う。その結果、早送りや早戻しにおける動画の高速再生において再生画像の視認性を向上できる。
【００１６】
特に、請求項２の発明においては、記録手段は、再生装置に着脱可能な半導体メモリ、光ディスクまたは磁気ディスクとして構成されているため、再生装置の構成を簡素化してコスト低減に寄与できるとともに、利便性が向上する。
【００１７】
また、請求項３の発明においては、動画を構成する複数のフレーム画像それぞれを圧縮して記録手段に記録させるため、様々な再生速度を容易に実現できる。
【００１８】
また、請求項４の発明においては、動画の早送りまたは早戻しで指定可能な複数の速度のうち高速側の速度が指定された場合のみ、再生制御手段を能動化させるため、所望の動画部分を適切に検索できる。
【００１９】
また、請求項５の発明においては、所定の操作入力に応答して第１時間と第２時間と第３時間とを設定するため、所望の高速再生を容易に実現できる。
【００２０】
また、請求項６の発明においては、被写体を撮像して動画の画像データを生成する撮像手段を備えるため、撮影して記録した動画を再生する際に、再生画像の視認性を向上できる。
【発明を実施するための最良の形態】
【００２１】
＜デジタルカメラの要部構成＞
図１〜図３は、本発明の実施形態に係るデジタルカメラ１の外観の概略構成を示す図である。図１はデジタルカメラ１の平面図、図２は図１のII−II位置から見た断面図、図３はデジタルカメラ１の背面図に相当する。
【００２２】
デジタルカメラ１は、略直方体の形状を有するカメラ本体部２と、カメラ本体部２に着脱可能に装着される撮影レンズ３から構成されており、再生装置として機能する。図１に示すように、デジタルカメラ１は撮影画像を記録するメモリカード８が着脱可能に収納されるようになっている。このメモリカード８は、デジタルカメラ１に着脱可能な半導体メモリとして構成される記録媒体として働く。また、デジタルカメラ１は、４本の単三形乾電池Ｅ１〜Ｅ４を直列接続する電源電池Ｅを駆動源としている。
【００２３】
図２に示すように、ズームレンズである撮影レンズ３は複数のレンズ３０を備えている。ここでは、撮影レンズ３として２群ズームレンズを示しており、レンズ３０は、大きく２つのレンズ群３００，３０１に分類される。なお、図２および図３においては、図示の都合上、レンズ群３００，３０１をそれぞれ一枚のレンズとして示している。ただし、実際には各レンズ群３００，３０１は、一枚のレンズに限定されず、複数枚のレンズの集合体として構成されていても良い。
【００２４】
一方、カメラ本体部２の内部には、レンズ群３００を駆動するためのモータＭ１、およびレンズ群３０１を駆動するモータＭ２とが設けられている。これらのモータＭ１，Ｍ２の駆動により、レンズ群３００，３０１を互いに独立して光軸方向に移動することによって、撮影レンズ３のズーム倍率の変更を行うことが可能である。また、これらのモータＭ１，Ｍ２を用いて、レンズ群３００，３０１を駆動することによって、撮影レンズ３の合焦状態を変更すること、すなわち、フォーカス動作を行うことが可能である。
【００２５】
また、撮影レンズ３のレンズ群３０の後方には、光電変換セルが配列された受光部を有するカラー撮像素子(以下、「ＣＣＤ」という)３０３が設けられている。カラー撮像素子３０３は、ＣＣＤからなるエリアセンサの各画素の表面に、Ｒ(赤)、Ｇ(緑)、Ｂ(青)のカラーフィルタが市松模様状に貼り付けられた単板式カラーエリアセンサとして構成されており、被写体を撮像して、動画の画像データを生成する。
【００２６】
カメラ本体部２の前面には、図１のようにグリップ部Ｇが設けられ、カメラ本体部２の上端の適所にポップアップ形式の内蔵フラッシュ５が設けられている。また、図３のように、カメラ本体部２の上面にはシャッタボタン９が設けられている。このシャッタボタン９については、フォーカス調整用などのトリガーとして用いる半押し状態と、記録用撮影のトリガーとして用いる全押し状態とを検出し、判別する機能を有している。
【００２７】
一方、カメラ本体部２の背面には、電子ビューファインダ(以下、「ＥＶＦ」)２０と液晶ディスプレイ(以下、「ＬＣＤ」)１０とが設けられている。なお、光学ファインダーと異なり、撮影待機状態においてＣＣＤ３０３からの画像信号(画像情報)のライブビュー表示を行うＥＶＦ２０とＬＣＤ１０とがファインダーとしての機能を担っている。
【００２８】
また、ＬＣＤ１０は記録モードにおいて撮影モードや撮影条件等を設定するためのメニュー画面を表示したり、再生モードにおいてメモリカード８に記録された撮影画像を再生表示することが可能である。
【００２９】
カメラ本体部２の背面左方には、撮影／再生モード切替えスイッチ１４が設けられている。この撮影／再生モード切替えスイッチ１４は記録モード（写真撮影の機能を果たすモード）と再生モード（記録画像をＬＣＤ１０に再生するモード）とを切換設定するモード設定スイッチで、電源スイッチも兼ねている。すなわち、撮影／再生モード切替えスイッチ１４は３点スライドスイッチからなり、接点を中央の「ＯＦＦ」位置に設定すると電源がオフになり、接点を上方の「ＲＥＣ」位置に設定すると電源がオンになるとともに記録モードとして設定され、接点を下方の「ＰＬＡＹ」位置に設定すると電源がオンになるとともに再生モードとして設定される。
【００３０】
カメラ本体部２の背面右方には、４連スイッチ１５が設けられている。４連スイッチ１５は円形の操作ボタンとして形成されており、この操作ボタンにおける上下左右の４方向のボタンＳＵ、ＳＤ、ＳＬ、ＳＲを押下することによって各種操作を行うことが可能となっている。例えば、ＬＣＤ１０に表示されるメニュー画面で選択された項目を変更したり、インデックス画面で選択された再生対象のコマを変更するためのスイッチとして機能する。また、記録モードにおいて左右方向のボタンＳＬ，ＳＲは、ズーム倍率を変更するためのスイッチとして機能する。具体的には、モータＭ１，Ｍ２の駆動により２つのレンズ群３００，３０１の相対的な位置関係を変更することによって、ズーム倍率が変更される。より詳細には、右方向スイッチＳＲを押下するとワイド側に連続的に移動し、左方向スイッチＳＬを押下するとテレ側に連続的に移動する。
【００３１】
また、４連スイッチ１５の下方には、確定スイッチ３１、取消スイッチ３２、メニュー表示スイッチ３３等のスイッチ群１６が設けられている。確定スイッチ３１は、メニュー画面で選択された内容を確定するためのスイッチである。取消スイッチ３２は、メニュー画面で選択された内容を取り消すためのスイッチである。メニュー表示スイッチ３３は、ＬＣＤ１０にメニュー画面を表示させたり、メニュー画面の内容を切り換えたりするためのスイッチである。
【００３２】
カメラ本体部２の背面下方には、静止画撮影モードと動画撮影モードとを切替設定する静止画／動画切替えスイッチ３４と、ＬＣＤ／ＥＶＦ切替えスイッチ３５とが設けられている。このＬＣＤ／ＥＶＦ切替えスイッチ３５は、スライドスイッチとなっており、ＬＣＤ１０とＥＶＦ２０との切替えが可能となっている。
【００３３】
次に、デジタルカメラ１の内部構成について説明する。図４は、デジタルカメラ１の内部構成を示す概略ブロック図である。
【００３４】
ＣＣＤ３０３は、レンズ３０により結像された被写体の光像を、Ｒ(赤)、Ｇ(緑)、Ｂ(青)の色成分の画像情報(各画素で受光された画素の信号列からなる情報)に光電変換して出力する。タイミングジェネレータ２１４は、ＣＣＤ３０３の駆動を制御するための各種のタイミングパルスを生成するものである。このタイミングジェネレータ２１４により、ＣＣＤ３０３で生成された画像情報を、所定の周期、例えば３０ｆｐｓで順次に読出すことができる。
【００３５】
撮像部３における霞出制御は、絞り３０２と、ＣＣＤ３０３の露光時間つまりシャッタスピードに相当するＣＣＤ３０３の電荷蓄積時間とを調節して行なわれる。この絞り３０２の調整は、全体制御部１５０から絞りモータ駆動回路１３１を介して絞りモータＭ３を駆動することで行われる。被写体輝度が低輝度時に適切なシャッタスピードが設定できない場合は、ＣＣＤ３０３から出力される画像情報のレベル調整を行うことにより露光不足による不適正露出が補正される。すなわち、低輝度時は、シャッタスピードとゲイン調整とを組み合わせて露出制御が行なわれる。画像情報のレベル調整は、信号処理回路１２１内のＡＧＣ回路１２１ｂのゲイン調整において行なわれる。
【００３６】
タイミングジェネレータ２１４は、タイミング制御回路２０２から送信される基準クロックに基づきＣＣＤ３０３の駆動制御信号を生成するものである。タイミングジェネレータ２１４は、例えば積分開始／終了（露出開始／終了）のダイミング信号、各画素の信号電荷の読出制御信号（水平同期信号、垂直同期信号、転送信号等）等のクロック信号を生成し、ＣＣＤ３０３に出力する。
【００３７】
信号処理回路１２１は、ＣＣＤ３０３から出力される画像信号（アナログ信号）に所定のアナログ信号処理を施すものである。信号処理回路１２１は、ＣＤＳ（相関二重サンプリング）回路１２１ａとＡＧＣ（オートゲインコントロール）回路１２１ｂとを有し、ＣＤＳ回路１２１ａにより画像情報のノイズの低減を行ない、ＡＧＣ回路１２１ｂのゲインを調整することにより画像情報のレベル調整を行なう。
【００３８】
調光回路３０４は、フラッシュ撮影における内蔵フラッシュ５の発光量を全体制御部１５０により設定された所定の発光量に制御するものである。フラッシュ撮影においては、露出開始と同時に被写体からのフラッシュ光の反射光がセンサ３０５により受光され、この受光量が所定の光量に達すると、調光回路３０４から発光停止信号が出力され、この発光停止信号に応答してフラッシュ制御回路３０６を介して内蔵フラッシュ５の発光を強制的に停止し、これにより内蔵フラッシュ５の発光量が所定の発光量に制御される。
【００３９】
Ａ／Ｄ変換器１２２は、画像情報における各画素信号を１２ビットのデジタル信号に変換するものである。Ａ／Ｄ変換器１２２は、タイミング制御回路２０２から入力されるＡ／Ｄ変換用のクロックに基づいて各画素信号（アナログ信号）を１２ビットのデジタル信号に変換する。
【００４０】
タイミングジェネレータ２１４およびＡ／Ｄ変換器１２２に対するクロックを生成するタイミング制御回路２０２は、全体制御部１５０内の基準クロックにより制御される。
【００４１】
黒レベル補正回路１２３は、Ａ／Ｄ変換された画像信号の黒レベルを基準の黒レベルに補正するものである。
【００４２】
また、ＷＢ(ホワイトバランス)回路１２４は、Ｒ、Ｇ、Ｂの各色成分の画素データのレベル変換を行なうものである。このＷＢ回路１２４は、全体制御部１５０から入力される、レベル変換テーブルを用いてＲ、Ｇ、Ｂの各色成分の画素データのレベルを変換する。なお、レベル変換テーブルの各色成分の変換係数（特性の傾き）は全体制御部１５０により撮影画像毎に設定される。
【００４３】
γ補正回路１２５は、画素データのγ特性を補正するものである。
【００４４】
画像メモリ１２６は、γ補正回路１２５から出力される画像データを記憶するメモリである。画像メモリ１２６は、画像を処理するために必要な記憶容量を有している。画像メモリ１２６内には、自動追尾ＡＦ制御(後述)で利用するＡＦ演算用画像を記憶するＡＦ用画像エリア１２６ａ、自動露出演算用画像を記憶するＡＥ用画像エリア１２６ｂ、ＬＣＤ１０やＥＶＦ２０に表示する表示用画像を記憶する表示用画像エリア１２６ｃ、本画像のＲＡＷデータを記憶するためのＲＡＷ画像エリア１２６ｄ、メモリカード８に記録するための静止画像を記憶する本画像エリア１２６ｅ、および動画の画像データを記録する動画像エリア１２６ｆが、カメラの動作状態によって随時設定される。
【００４５】
ＡＦ用画像エリア１２６ａは、表示用画像と同じ画像の６４０×２４０画素のうち、全体制御部１５０内のＬＶ・ＡＦ・ＡＥ用画像生成部１５４で任意に設定できる８０×３０画素の焦点検出エリア(合焦エリア)に対応した画像データの記憶容量を有している。そして、この焦点検出エリア内の画像情報に基づき、全体制御部１５０によって合焦制御が行われることとなる。
【００４６】
ＡＥ用画像エリア１２６ｂは、全体制御部１５０内のＬＶ・ＡＦ・ＡＥ用画像生成部１５４で表示用画像と同じ６４０×２４０画素の画像をＲ、Ｇ、Ｂごとに１６画素加算することによって得られたＡＥ用画像４０×２４０に対応した画像データの記憶容量を有している。
【００４７】
撮影待機状態においては、撮像部３により１／３０秒毎に撮像された画像の各画素データがＡ／Ｄ変換器１２２〜γ補正回路１２５により所定の信号処理が施された後、全体制御部１５０内のＬＶ・ＡＦ・ＡＥ用画像生成部１５４に転送される。ＡＦおよび自動露出演算用に処理された画像は、それぞれ画像メモリ１２６内のＡＦ用画像エリア１２６ａおよびＡＥ用画像エリア１２６ｂに記憶され、ライブビュー(ＬＶ)表示画像は表示画像エリア１２６ｃに随時転送される。
【００４８】
表示用画像エリア１２６ｃに格納されるデータは、ＬＣＤ１０の選択時は全体制御部１５０内のＬＣＤＩ／Ｆブロック１５５に、ＥＶＦ２０の選択時はＥＶＦＩ／Ｆブロック１５６に転送されて表示デバイスに表示される（ライブビュー表示）。
【００４９】
これにより、撮影者は被写体画像を視認することができる。また、再生モードにおいては、メモリカード８から読み出された画像が全体制御部１５０内のカードＩ／Ｆブロック１５９および再生画像生成部１５８を通して一旦、画像メモリ１２６内の表示用画像エリア１２６ｃに記憶された後、全体制御部１５０内のＬＣＤＩ／Ｆブロック１５５またはＥＶＦＩ／Ｆブロック１５６に転送され必要な画像処理が行われた後、ＬＣＤ１０またはＥＶＦ２０に表示される。
【００５０】
全体制御部１５０内のカードＩ／Ｆブロック１５９は、メモリカード８への画像データの書込み及び画像データの読出しを行なうためのインターフェースブロックである。
【００５１】
ＲＴＣ２１９は、撮影日時を管理するするための時計回路である。図示しない別の電源で駆動される。
【００５２】
操作部２５０には、上述した、各種スイッチ、ボタンが設けられている。
【００５３】
シャッタボタン９は、半押し状態（これを「Ｓ１状態」という）と押し込んだ状態（これを「Ｓ２状態」という）とが検出可能な２段階スイッチを備えている。待機状態においてシャッターボタン９をＳ１状態にすると、ＡＦのためのレンズ駆動を開始し、画像メモリ１２６内のＡＦ用画像に基づき、そのＡＦエリアのコントラストを評価してコントラストが最も高くなるようにＡＦモータＭ２によりレンズを駆動し停止させる。また、Ｓ１状態においては、画像メモリ１２６内のＡＥ用画像データのレベルを判定することで、シャッタースピードと絞り値とを決定する。さらに、ホワイトバランスの補正値が決定される。
【００５４】
全体制御部１５０は、マイクロコンピュータからなり、上述したカメラの各部材の駆動を有機的に制御してデジタルカメラ１の撮影動作を統括制御するものである。
【００５５】
また、全体制御部１５０は、ＣＣＤ３０３で取得された露出制御値（シャッタスピードと絞り値）を設定するための輝度判定部と露光量設定部(図示せず)とを備えている。
【００５６】
さらに、全体制御部１５０は、上記撮影画像の記録処理を行なうために、サムネイル画像及び圧縮画像を生成する記録画像生成部１５７を備えている。また、メモリカード８に記録された画像をＬＣＤ表示部１０やＥＶＦ２０に再生するための再生画像を生成する再生画像生成部１５８をも備えている。
【００５７】
記録画像生成部１５７は、画像メモリ１２６内のＲＡＷ画像エリア１２６ｄから画像データを読み出してメモリカード８に記録すべきサムネイル画像と圧縮画像とを生成する。読出された画像データに２次元ＤＣＴ変換、ハフマン符号化等のＪＰＥＧ方式による所定の圧縮処理を施して圧縮画像の画像データを生成し、この圧縮画像データを画像メモリ１２６内の本画像エリア１２６ｅに記録する。画像メモリ１２６内の本画像エリア１２６ｅに記録された画像データは全体制御部１５０内のカードＩ／Ｆ１５９に転送されメモリカード８の本画像エリア１２６ｅに記録される。
【００５８】
全体制御部１５０は、静止画撮影モードにおいて、シャッターボタン９により撮影が指示されると、撮影指示後に画像メモリ１２６内のＲＡＷ画像エリア１２６ｄに取り込まれた画像データを設定された圧縮率によりＪＰＥＧ圧縮を行い、撮影画像に関するタグ情報（コマ番号、露出値、シャッタスピード、圧縮率、撮影日、撮影時におけるフラッシュのオンオフのデータ、シーン情報、画像の判定結果等）等の情報とともに画像データをメモリカード８に記憶する。また、全体制御部１５０は、動画撮影モードにおいて、シャッターボタン９により録画開始が指示されると１／３０秒毎に撮像されたライブビュー画像をリアルタイムに圧縮を行い、動画像エリア１２６ｆに順次記録し、動画像エリア１２６ｆの空き容量がなくなるか、再度シャッターボタン９で録画停止が指示されると録画を終了しメモリカード８に動画の画像データを動画ファイルとして記録する。なお、動画像については、動画を構成する複数のフレーム画像それぞれを個別に圧縮してメモリカード８に記録させるようにＭＪＰＥＧ(モーションＪＰＥＧ)形式で記録するのが好ましい。これにより、メモリカード８から動画を読み出して再生する場合には、適当な間隔での画像再生が可能となり、後述する早送り・早戻し(巻き戻し)動作をスムーズに行えることとなる。
【００５９】
撮影／再生モード切替えスイッチ１４を再生モードに設定したときには、メモリカード８内のコマ番号の最も大きな画像データが読み出され、再生画像生成部１５８で、データ伸張が行われ、画像メモリ１２６内の表示用画像エリア１２６ｃに記憶された後、全体制御部１５０内のＬＣＤＩ／Ｆブロック１５５またはＥＶＦＩ／Ｆブロック１５６に転送される。これにより、ＬＣＤ１０やＥＶＦ２０には、コマ番号の最も大きな画像すなわち直近に撮影された画像が表示される。そして、ボタンＳＵを操作することにより、コマ番号の大きな画像が表示され、ボタンＳＤを押下することによりコマ番号の小さな画像が表示される。
【００６０】
一方、動画ファイルについては、最初のフレームが表示されるが、確定スイッチ３１を押下することでメモリカード８に記録された動画の画像データが画像メモリ１２６内の動画像エリア１２６ｆに読み出され、１／３０秒毎に再生画像生成部１５８にて、データ伸張されて画像メモリ１２６内の表示用画像エリア１２６ｃに記憶された後、全体制御部１５０内のＬＣＤＩ／Ｆブロック１５５（またはＥＶＦＩ／Ｆブロック１５６）に転送されＬＣＤ１０（またはＥＶＦ２０）に画像表示されることで動画が再生される。そして、動画再生中にボタンＳＲを押下することで動画の早送り再生を指示でき、ボタンＳＬを押下することで動画の早戻し(巻き戻し)再生を指示できる。この場合、後述するように早送り及び巻き戻しは一定時間経過すると再生速度が切り替わることとなる（例えば５秒までは４倍速、５秒後に１０倍速、１０秒後に１００倍速の３段階で切替え）。ここで、確定スイッチ３１が押下されると再生が終了する。
【００６１】
＜デジタルカメラ１の動作について＞
デジタルカメラ１においては、動画再生を行う際に、３０ｆｐｓの動画ファイルを最初の５秒までは４倍速、５秒後に１０倍速、１０秒後に１００倍速の３段階で早送り・巻き戻しが可能となっている。すなわち、デジタルカメラ１では、動画の早送りまたは早戻しについて複数の速度から１の速度を指定できる。この早送り・巻き戻しの動作を以下で説明する。
【００６２】
図５は、デジタルカメラ１の基本的な動作を示すフローチャートである。本動作は、全体制御部１５０で実行される。
【００６３】
また、図６は、デジタルカメラ１の早送り動作を説明するための図である。本図において横軸は時間を示しており、再生フレームＮｏを「３００１、３００２、・・・」で表している。
【００６４】
以下では、図５および図６を参照しつつ、デジタルカメラ１の動作を説明する。
【００６５】
ステップＳＴ１では、メモリカード８に記録されている動画ファイルを読み込む。
【００６６】
ステップＳＴ２では、ステップＳＴ１で読み込まれた動画のフレーム総数を取得する。
【００６７】
ステップＳＴ３では、１／３０秒が経過したかを判定する。ここで、１／３０秒が経過した場合には、ステップＳＴ４に進み、経過していない場合には、ステップＳＴ２６に進む。
【００６８】
ステップＳＴ４では、ユーザによって早送りの要求がなされたかを判定する。具体的には、ボタンＳＲが押下されたかを判断する。ここで、早送りの要求がなされた場合には、ステップＳＴ５に進み、早送りが要求されていない場合には、ステップＳＴ１２に進む。
【００６９】
ステップＳＴ５では、早送り開始後、つまりボタンＳＲが押下されてから１０秒経過したかを判定する。ここで、早送り開始後１０秒経過した場合には、ステップＳＴ６に進み、１０秒経過していない場合には、ステップＳＴ９に進む。
【００７０】
ステップＳＴ６では、早送り開始後に１０秒経過して、ＬＣＤ１０などで１秒分の動画を表示したかを判定する。ここで、１秒分表示した場合には、ステップＳＴ７に進み、１秒分表示していない場合には、ステップＳＴ８に進む。
【００７１】
ステップＳＴ７では、再生フレームＮｏに３０００を加算する。すなわち、再生フレームＮｏ＝現在のフレームＮｏ＋３０００とする。
【００７２】
ステップＳＴ８では、再生フレームＮｏに１を加算する。すなわち、再生フレームＮｏ＝現在のフレームＮｏ＋１とする。
【００７３】
以上のステップＳＴ５〜ＳＴ８における動作により、図６に示すように、早送り開始から１０秒が経過して１００倍速に切替わった直後の最初の１秒間ｔ１は、再生フレームＮｏが１刻みで増加して通常の再生速度（３０ｆｐｓ）で再生される。そして、最初の１秒ｔ１が経過する際には、再生フレームＮｏに１００秒分の動画フレーム数に相当する３０００が加算されて通常の再生速度で動画再生する次の１秒ｔ２が始まる。
【００７４】
すなわち、動画の早送りの指示が行われた場合には、動画の再生で基準となる再生時間軸において１秒（第２時間）の長さを有する動画の一部を、再生時間軸において１００秒（第３時間）の間隔ごとに順次に抽出し、動画の一部に基づく再生が実時間軸における１秒（第１時間）で行われることとなる。ここで、上記の再生時間軸とは、再生フレームＮｏの増加方向を正方向として、通常(１倍速)の動画再生を行った場合に経過する実時間、換言すれば再生フレームＮｏが１加算されるごとに１／３０秒が増加するという経過時間を表したものである。
【００７５】
このように１００倍速という高速側の速度（最高速）が指定された場合のみ、上述の再生を行うことにより、通常の再生速度で動画表示を行えるため、再生画像の視認性を向上できるとともに、所望の動画部分を適切に検索できることとなる。
【００７６】
ステップＳＴ９では、早送り開始後、つまりボタンＳＲが押下された後に５秒経過したかを判定する。ここで、早送り開始後５秒経過した場合には、ステップＳＴ１０に進み、５秒経過していない場合には、ステップＳＴ１１に進む。
【００７７】
ステップＳＴ１０では、再生フレームＮｏに１０を加算する。すなわち、再生フレームＮｏ＝現在のフレームＮｏ＋１０とし、１０フレームづつスキップして１０倍速で再生される。
【００７８】
ステップＳＴ１１では、再生フレームＮｏに４を加算する。すなわち、再生フレームＮｏ＝現在のフレームＮｏ＋４とし、４フレームづつスキップして４倍速で再生される。
【００７９】
ステップＳＴ１２では、ユーザによって巻き戻しの要求がなされたかを判定する。具体的には、ボタンＳＬが押下されたかを判断する。ここで、早送りの要求がなされた場合には、ステップＳＴ１３に進み、早送りが要求されていない場合には、ステップＳＴ２０に進む。
【００８０】
ステップＳＴ１３では、巻き戻し開始後、つまりボタンＳＬが押下された後に１０秒経過したかを判定する。ここで、巻き戻し開始後１０秒経過した場合には、ステップＳＴ１４に進み、１０秒経過していない場合には、ステップＳＴ１７に進む。
【００８１】
ステップＳＴ１４では、巻き戻し開始後に１０秒経過して、ＬＣＤ１０などで１秒分の動画を表示したかを判定する。ここで、１秒分表示した場合には、ステップＳＴ１５に進み、１秒分表示していない場合には、ステップＳＴ１６に進む。
【００８２】
ステップＳＴ１５では、再生フレームＮｏから３０００を減算する。すなわち、再生フレームＮｏ＝現在のフレームＮｏ−３０００とする。
【００８３】
ステップＳＴ１６では、再生フレームＮｏから１を減算する。すなわち、再生フレームＮｏ＝現在のフレームＮｏ−１とする。
【００８４】
ステップＳＴ１７では、巻き戻し開始後、つまりボタンＳＬが押下された後に５秒経過したかを判定する。ここで、巻き戻し開始後５秒経過した場合には、ステップＳＴ１８に進み、５秒経過していない場合には、ステップＳＴ１９に進む。
【００８５】
ステップＳＴ１８では、再生フレームＮｏから１０を減算する。すなわち、再生フレームＮｏ＝現在のフレームＮｏ−１０とする。
【００８６】
ステップＳＴ１９では、再生フレームＮｏから４を減算する。すなわち、再生フレームＮｏ＝現在のフレームＮｏ−４とする。
【００８７】
ステップＳＴ２０では、再生フレームＮｏに１を加算する。すなわち、再生フレームＮｏ＝現在のフレームＮｏ＋１として、通常の再生動作を行う。
【００８８】
ステップＳＴ２１では、再生フレームＮｏが１未満となっているかを判定する。ここで、再生フレームＮｏが１未満である場合には、ステップＳＴ２２に進み、１以上である場合には、ステップＳＴ２３に進む。
【００８９】
ステップＳＴ２２では、再生フレームＮｏを１に設定する。
【００９０】
ステップＳＴ２３では、再生フレームＮｏが上限の再生フレームＮｏである動画フレーム数より大きくなっているかを判定する。ここで、再生フレームＮｏが動画フレームの総数より大きい場合には、ステップＳＴ２４に進み、動画フレームの総数以下である場合には、ステップＳＴ２５に進む。
【００９１】
ステップＳＴ２４では、再生フレームＮｏを動画フレーム数に設定する。
【００９２】
ステップＳＴ２５では、現在設定されている再生フレームＮｏの画像をＬＣＤ１０などに表示する。
【００９３】
ステップＳＴ２６では、再生フレームＮｏが動画フレーム数に等しいかを判定する。ここで、再生フレームＮｏが動画フレーム数に等しい場合には、本フローの動作を終了し、異なる場合には、ステップＳＴ３に戻る。
【００９４】
以上のデジタルカメラ１の動作により、１００倍速の早送り・巻き戻し再生において通常の再生速度で動画再生するため、再生画像の視認性を向上できる。
【００９５】
なお、デジタルカメラ１における上述の早送り・巻き戻し再生においては、再生速度などを固定とするのは必須でなく、ユーザの操作入力によって変更できるようにしても良い。これについて、以下で説明する。
【００９６】
図７は、早送り・巻き戻し再生に関する入力画面の一例を示す図である。
【００９７】
入力画面Ｇ１は、例えばメニュー表示スイッチ３３を押下してＬＣＤ１０に表示されるメニュー画面において、「早送り・巻き戻し再生設定」の項目を選択することによってＬＣＤ１０に表示される。この入力画面Ｇ１では、例えば、所定の操作入力を受け付ける４連スイッチ(操作部)１５を操作することにより３つの入力欄ＥＢ１〜ＥＢ３に数値を入力できる。
【００９８】
例えばＮ＝１００秒（第３時間）、Ｍ＝１０秒（第２時間）、Ｔ＝５秒（第１時間）が入力された場合には、１００秒ごとに１０秒間の動画を５秒間で再生する早送り・巻き戻し再生の設定が行われる。なお、この入力では、Ｎ≧Ｍ≧Ｔ、すなわち第１時間は第２時間以下であり、第２時間は第３時間以下となる関係が必要であるため、この関係を満たさない入力を拒否することが好ましい。
【００９９】
このような操作入力により早送り・巻き戻し再生の設定を行うことで、視認性が向上するとともにユーザが所望する再生設定が行えることとなる。
【０１００】
図８は、早送り・巻き戻し再生に関する入力画面の他の一例を示す図である。
【０１０１】
入力画面Ｇ２は、例えばメニュー画面において、「早送り・巻き戻し再生設定」の項目を選択することによってＬＣＤ１０に表示される。この入力画面Ｇ２では、例えば４連スイッチ１５を操作することにより２つの入力欄ＥＤ１〜ＥＤ２に数値を入力できる。
【０１０２】
例えばＫ＝２０、Ｌ＝２が入力された場合には、２０倍速で２倍速の表示更新される早送り・巻き戻し再生の設定が行われる。ここで入力される変数Ｋ、Ｌと、図７に示す変数Ｎ、Ｍ、Ｔとの関係は、Ｋ＝Ｎ／Ｔ、Ｌ＝Ｍ／Ｔとなっている。
【０１０３】
このような操作入力により再生の設定を行うことで、上記の入力画面Ｇ１に対する操作入力と同様にユーザが所望する再生設定が行えるとともに、入力項目が２つに減るため、入力が感覚的に判りやすいものとなる。
【０１０４】
＜変形例＞
◎上記の実施形態における記録媒体については、メモリカードなどの固体メモリを使用するのは必須でなく、光ディスクや磁気ディスクを使用するようにしても良い。このような記録媒体を使用することにより、動画記録において安価な長時間の録画が可能となる。
【０１０５】
◎上記の実施形態においては、デジタルカメラに設けられているＬＣＤやＥＶＦなどの表示部に動画を表示するのは必須でなく、デジタルカメラに接続されるモニタなどの外部の表示装置に動画を表示しても良い。
【図面の簡単な説明】
【０１０６】
【図１】本発明の実施形態に係るデジタルカメラ１の外観の概略構成を示す図である。
【図２】デジタルカメラ１の外観の概略構成を示す図である。
【図３】デジタルカメラ１の外観の概略構成を示す図である。
【図４】デジタルカメラ１の内部構成を示す概略ブロック図である。
【図５】デジタルカメラ１の基本的な動作を示すフローチャートである。
【図６】デジタルカメラ１の早送り動作を説明するための図である。
【図７】早送り・巻き戻し再生に関する入力画面の一例を示す図である。
【図８】早送り・巻き戻し再生に関する入力画面の他の一例を示す図である。
【図９】従来技術に係る早送り動作を説明するための図である。
【符号の説明】
【０１０７】
１  デジタルカメラ
８  メモリカード
１２６  画像メモリ
１２６ｆ  動画像エリア
１５０  全体制御部
１５８  再生画像生成部
ＥＢ１〜３、ＥＤ１〜２  入力欄
Ｇ１、Ｇ２  入力画面
【図１】
2005175742.tif 000003
【図２】
2005175742.tif 000004
【図３】
2005175742.tif 000005
【図４】
2005175742.tif 000006
【図５】
2005175742.tif 000007
【図６】
2005175742.tif 000008
【図７】
2005175742.tif 000009
【図８】
2005175742.tif 000010
【図９】
2005175742.tif 000011